(57)【要約】【課題】表示画面にカメラで撮影しやすい大きさに情報を表示する情報表示装置を提供する。【解決手段】表示画面上に情報を表示する表示部と、前記表示画面上に可変の大きさで表示する可変表示画像を記憶する表示画像記憶部と、前記表示画面から前記表示画面上に表示された前記可変表示画像を撮影する撮影カメラまでの距離を測定する距離測定部と、前記距離測定部によって測定された距離に応じて、前記可変表示画像の表示倍率を制御する表示倍率制御部と、前記表示画面上に、前記表示倍率制御部によって制御された大きさで可変表示画像を表示する表示駆動部とを備える。【選択図】図１
2010066389.tif 000002
【特許請求の範囲】
【請求項１】
外部機器によって、光学的に読み取り可能な画像を表示する情報表示装置であって、
表示画面上に画像を表示する表示部と、
前記表示画面上に可変の大きさで表示する可変表示画像情報を記憶する表示画像記憶部と、
前記表示画面から、前記外部機器までの距離を測定する距離測定部と、
前記距離測定部によって測定された距離に応じて、前記可変表示画像の表示倍率を制御する表示倍率制御部と、
前記表示画面上に、前記表示倍率制御部によって制御された大きさで前記可変表示画像を表示する表示駆動部と
を備えることを特徴とする情報表示装置。
【請求項２】
前記外部機器は撮影カメラであり、前記表示倍率制御部は、前記撮影カメラが複数存在する場合に、前記表示画面に表示された可変表示画像の正面に位置する撮影カメラを選択し、前記表示画面から前記選択された撮影カメラの距離までに応じて、前記可変表示画像の表示倍率を制御する請求項１に記載の情報表示装置。
【請求項３】
前記距離測定部が、前記表示画面から前記撮影カメラまでの距離を測定できなかった場合に、前記表示倍率制御部は、前記可変表示画像を予め設定された大きさで表示する請求項１または２に記載の情報表示装置。
【請求項４】
前記距離測定部は、前記表示部近傍に備えた複数のカメラにより構成され、前記複数のカメラによって撮影された画像をステレオ法によって処理し、前記表示画面から撮影カメラまでの距離を求める請求項１に記載の情報表示装置。
【請求項５】
前記可変表示画像は、一次元バーコード、二次元バーコード、ＱＲコード、数字画像、文字画像、絵またはイラストの少なくとも１つを含む画像である請求項１に記載の情報表示装置。
【請求項６】
前記表示画像記憶部は、更に前記表示画面上に所定の大きさで表示する固定表示画像情報を記憶し、前記表示駆動部は表示倍率が制御された可変表示画像と固定表示画像を合成して表示する請求項１に記載の情報表示装置。
【請求項７】
表示画面上に可変の大きさで表示する可変表示画像を記憶する表示画像記憶部を備え、
前記表示画面から、前記表示画面上に表示された前記可変表示画像を撮影する撮影カメラまでの距離を測定する距離測定ステップと、
前記測定された距離に応じて、前記可変表示画像の表示倍率を制御する表示倍率制御ステップと、
前記表示画面上に、前記表示倍率が制御された大きさで前記可変表示画像を表示する表示駆動ステップと
を備えることを特徴とする情報表示方法。
【発明の詳細な説明】
【技術分野】
【０００１】
本発明は、表示画面上に情報を表示する情報表示装置及び情報表示方法に関し、特に表示画面上に表示された表示画像（特に、コード情報画像）をカメラで撮影しやすい大きさに表示する情報表示装置及び情報表示方法に関する。
【背景技術】
【０００２】
一次元バーコードや二次元バーコード（特に、ＱＲコード（登録商標））の画像認識システムが公知である。一元バーコードは、例えば商品の価格を表示するため、商品に直接或いは商品の包装、又は包装に貼り付けられたシール或いは商品に附属するラベル等に印字して用いられている。また二次元バーコードは、例えば製造業界では、商品の材料や処理工程を表示するため、流通業界では商品の発送元、送付先及び流通過程を表示するため、販売店業界では価格、製造元、産地及び材料を表示するため、広告業では商品のより詳細な情報の出所を表示するために用いられている。特に、広告媒体に、広告画像とともに一次元バーコード、二次元バーコード又はＱＲコードを表示し、カメラを使用して撮影可能にしている。広告画像を見ている人は、ＱＲコードを携帯電話のカメラ機能を使用して撮影することにより、広告主のＵＲＬを取得し、ＵＲＬにアクセスすることにより、より詳細な商品情報を取得することができる。
通常、一次元バーコード、二次元バーコード及びＱＲコードは、商品に直接或いは商品の包装、又は包装に貼り付けられたシール或いは商品に附属するラベル等に印字して用いられる。そして、これらコードをカメラで撮影し、その画像に含まれる情報を画像認識することによって、コードに含まれる情報を取得することができる。しかしながら、一次元バーコード、二次元バーコード及びＱＲコードをカメラで撮影する場合、被写体とカメラの距離を適切に調整しなければ、これらコードを撮影し、画像認識して情報を取得することができない。
【０００３】
被写体とカメラの距離を適切に調整して、住所バーコード又は名刺を適切な大きさで撮影するため、予め画面上に住所バーコード又は名刺を表示する所定範囲を規定する枠を表示し、カメラによって撮影した画像を上記枠内に表示させ、そして枠内に表示された画像を取り込んで画像処理することによって、画像認識する技術が特許文献１に開示されている。
【特許文献１】特開平９−１８５６９５号公報
【発明の開示】
【発明が解決しようとする課題】
【０００４】
上記特許文献１は、予め画面上に、バーコードまたは名詞情報を表示する枠を表示し、この枠内にカメラで撮影した画像を表示することにより、画像処理を簡単にするものである。
ところで、近年表示装置の大きさは、例えば、長辺が１ｍ〜２ｍあるいはそれ以上に壁一面のように非常に大型化され、このように大型の表示装置は、例えば広告画像を表示するため、またはテレビ会議、講演会、説明会等で資料を表示するために使用される。このような大型の表示装置に表示されている広告画像を見ている人物、またはテレビ会議、講演会、説明会等の参加者が所有しているカメラで撮影させることによって、更に詳細な情報を提供する場合がある。特に、広告画像またはテレビ会議、講演会、説明会等で使用される資料とともにＱＲコードを表示し、このＱＲコードを撮影させて情報を提供することは有効である。この場合に、ＱＲコードを適切な大きさで撮影しなければならないので、カメラのズーム機能を使って、またはカメラを前後に移動させて適切な大きさになるよう調整して撮影する。ＱＲコードを適切な大きさで撮影すると、ＱＲコードを解析して情報を取得することができるが、カメラのズーム機能は操作が面倒であり、またズーム機能の動作が遅いため調整が困難である。またズーム機能を使って撮影した画像は画質が悪くなり、ＱＲコードを解析できない場合がある。またカメラを前後に移動するためには、広いスペースが必要であるが、会議、講演会、説明会等のように多くの参加者が居る場合には移動できる範囲は小さいため、十分に撮影画像の大きさを調整することができない。
【０００５】
本発明は、上記のような問題に鑑みて、表示画面にカメラによって撮影しやすい大きさで情報を表示する情報表示装置及び情報表示方法を提供するものである。
【課題を解決するための手段】
【０００６】
本発明の情報表示装置は、上記課題を解決するため、外部機器によって、光学的に読み取り可能な画像を表示する情報表示装置であって、表示画面上に画像を表示する表示部と、前記表示画面上に可変の大きさで表示する可変表示画像情報を記憶する表示画像記憶部と、前記表示画面から、前記外部機器までの距離を測定する距離測定部と、前記距離測定部によって測定された距離に応じて、前記可変表示画像の表示倍率を制御する表示倍率制御部と、前記表示画面上に、前記表示倍率制御部によって制御された大きさで前記可変表示画像を表示する表示駆動部とを備えることを特徴とする。
【０００７】
ここで、可変表示画像は、例えば一次元バーコードまたは二次元バーコードであり、特に、ＱＲコードである。この外に、可変表示画像は、文字データ、数字データ、絵またはイラストを含み、広告画像を見ている人物、または会議、講演会、説明会等の参加者に提供する全ての表示画像であり、動画であってもよい。
【０００８】
本発明の情報表示装置は、表示画面から表示画面上に表示された可変表示画像を撮影する外部機器までの距離を測定する距離測定部によって測定された距離に応じて、可変表示画像の表示倍率を制御する表示倍率制御部を備えるので、可変表示画像を外部機器で撮影しやすい大きさに自動的に制御することができる。また本発明は、表示画面上に、表示倍率制御部によって制御された大きさで可変表示画像を表示する表示駆動部を備えるので、可変表示画像は制御された大きさで情報を表示することができ、従って、可変表示画像を外部機器で撮影しやすい大きさで情報を表示することができる。
【０００９】
本発明は、別の観点によれば、情報表示方法であり、上記課題を解決するため、表示画面上に可変の大きさで表示する可変表示画像を記憶する表示画像記憶部を備え、前記表示画面から前記可変表示画像を撮影する撮影カメラまでの距離を測定する距離測定ステップと、前記測定された距離に応じて、前記可変表示画像の表示倍率を制御する表示倍率制御ステップと、前記表示画面上に、前記表示倍率が制御された大きさで前記可変表示画像を表示する表示駆動ステップを備えることを特徴とする。
これにより、表示画面にカメラで撮影しやすい大きさに情報を表示することができる。
【発明の効果】
【００１０】
本発明によれば、カメラによって撮影しやすい大きさで情報を表示するように自動的に制御する情報表示装置及び情報表示方法が提供される。
【発明を実施するための最良の形態】
【００１１】
図１は本発明の情報表示装置の構成を示すブロック図である。
情報表示装置１は、制御部１０、表示部２０、音声出力部３０、ＲＯＭ４０、ＲＡＭ５０、第１撮影部６０、第２撮影部７０、画像解析部８０、ＨＤＤ９０を備える。ここには本発明の情報表示装置を構成するために必要な部分を示したが、文書作成機能、グラフ作成機能等の機能部分を備えてもよく、またネットワークを介して他の画像を取り込むための通信機能部分を備えるとよい。即ち、本発明の情報表示装置は、一般的なパーソナルコンピュータを利用して、構成することが可能である。
【００１２】
上記制御部１０は、本発明の情報表示装置１全体を制御する部分であり、マイクロプロセッサ(Microprocessor)又はプログラミングすることができるＬＳＩによって構成される。この外に、ＦＰＧＡ(Field Programmable Gate Array)、特定用途のために設計、製造された集積回路であるＡＳＩＣ(Applicant Specific Integrated Circuit)、その他の演算機能を有する回路のいずれであってもよい。制御部１０は、ＲＯＭ４０に格納された制御プログラムを読み出して、順次本発明の各ステップを実行することにより、各部分を所定の通り機能させ、本発明の情報表示装置を実現する。
【００１３】
上記表示部２０は、液晶モニター２１、液晶表示コントローラ２２、ＶＲＡＭ２３を備える。液晶モニター２１は、プラズマ表示装置、有機ＥＬ表示装置、その他表示装置などに代えてもよい。本発明の液晶モニター２１は、例えば少なくとも一辺が１ｍ以上の表示画面を備える。即ち、長辺が１ｍ〜２ｍ、或いはそれ以上の大きさの表示画面を有し、壁一面のように非常に大型の表示画面を有する。本発明はこのように大きい表示画面を有する表示部１０を発明の対象とする。本発明の情報表示装置は、このように大きい表示画面に、商品を広告する広告画像を表示するとともに、更に詳細なデータの出所を表示するコード情報を表示する。または、このように大きい表示画面に、会議、講演会、説明会等で使用される資料や情報画像を表示するとともに、参加者に更に詳細な情報の出所を表示するコード情報を表示する。特に、上記広告画像の詳細なデータの出所を表示するコード情報、または上記参加者に詳細な情報の出所を表示するコード情報は、広告を見ている人、または参加者が所有するデジタルカメラまたは携帯電話のカメラ機能を使用して、撮影に適した大きさで表示することを特徴とする。従って、本発明は、表示画面上に、商品広告の広告画像、または会議、講演会、説明会等で使用される資料や情報画像を所定の大きさで表示し、詳細なデータの出所を表示するコード情報、または参加者に提供するコード情報は、可変の大きさで表示するものである。
【００１４】
音声出力部３０は、入力された音声信号を出力するスピーカ等の音声出力部である。
ＲＯＭ４０は、本発明の情報表示装置を制御するための制御プログラムを格納する。この外に、文書作成機能、グラフ作成機能等の機能を実現するためのプログラムも格納する。
【００１５】
ＲＡＭ５０は、制御部１０によってデータアクセスされ、一時的にデータを記憶するワークメモリとして使用される記憶部である。ＲＡＭ５０は、ＱＲコードデータ記憶部５１と、広告画像データ記憶部５２と、ＱＲコード画像データ記憶部５３を有する。
ＱＲコードデータ記憶部５１は、ＱＲコード画像を表示するために表１を備え、ＱＲコード画像幅と、ＱＲコード画像高さと、ＱＲコード画像の拡大率と、人物までの距離をそれぞれ変数名と、値を入力する。このような表１は、ＱＲコード画像が複数存在する場合は複数備えるとよい。
【００１６】
広告画像データ記憶部５２は、液晶モニター２１に表示する広告画像データを展開し、記憶する部分である。広告画像データが複数存在する場合は、複数の広告画像データを、この広告画像データ記憶部５２に展開する。この広告画像データは、表示の大きさが予め設定され、固定表示画像を提供する。この実施形態では表示部の表示画面全体に表示するように展開する。
ＱＲコード画像データ記憶部５３は、広告画像データ記憶部５２に記憶された広告画像データと対に構成され、ＱＲコード画像データを展開し、記憶する部分である。従って、広告画像データが複数用意される場合は、その複数に応じて複数のＱＲコード画像データが、このＱＲコード画像データ記憶部５３に展開される。ＱＲコード画像データは後述するように表示倍率が可変であり、表示部２０と、撮影カメラの距離に応じて表示倍率が制御され、自動的に大きさが制御された可変表示画像を提供する。
【００１７】
以上の説明及び以下の説明では、ＲＡＭ５０は、広告画像データとＱＲコード画像データを記憶するとして説明するが、広告画像データは、例えば会議、講演会、または説明会等で使用される資料画像のように任意の固定表示画像に代えてもよい。またＱＲコード画像データは、例えば、一次元バーコード、二次元バーコード、数字データ、文字データ、絵またはイラストデータを含む可変表示画像に代えてもよい。またこれら固定表示画像及び可変表示画像は、は動画であってもかまわない。
【００１８】
第１撮影部６０と、第２撮影部７０は、液晶モニター２１の両側面に設置されたカメラである。例えば、図２に示すように、液晶モニター２１の側面中央付近に設置される。第１撮影部６０と、第２撮影部７０は、ＵＳＢ(Universal Serial Bus)などによって、有線又は無線で接続され、静止画または動画を撮影する。この第１撮影部６０と、第２撮影部７０によって撮影した画像を用いて図３をとともに説明するように、ステレオ法によって処理することにより、表示画面から表示画面に表示された画像を撮影する撮影カメラまでの距離を測定する。
【００１９】
画像解析部８０は、制御部１０の指示によって動作し、第１撮影部６０と第２撮影部７０によって撮影された画像を解析する。画像解析部８０は、第１撮影部６０と第２撮影部７０の画像解析して、画像中の人物を認識する。即ち、画像中の両目、鼻、口を認識して、表示部２０を見ている人物を認識する。もし、表示部２０の前に複数の人物が居ると認識された場合は、表示画面に表示するＱＲコード画像の正面付近に居る人物を選択する。ＱＲコード画像の正面付近に居る人物が複数である場合は、表示画面に近い人物を選択する。次に、認識した人物が所有するカメラを表示部２０の方に向けているかどうか解析する。そして、第１撮影部６０と第２撮影部７０によって撮影された人物の画面中のずれに基づいて、表示部２０からその人物までの距離を算出する。
【００２０】
ＨＤＤ９０は、ハードディスクによって構成され、大容量の記憶媒体を提供し、データの追加、変更を可能にする。
ＨＤＤ９０は、画像データ蓄積部９１を備え、画像データ蓄積部９１は、表示部２０に表示する画像データファイル（display jpg）を蓄積する表示画像蓄積部９１ａ、表示部２０に表示する広告画像ファイル（koukoku.jpg）を蓄積する広告画像蓄積部９１ｂ、ＱＲデータファイル（QRData.gif）を蓄積するＱＲデータ蓄積部９１ｃ、アドレスデータファイル（address.bmp）を蓄積するアドレスデータ蓄積部９１ｄを有する。図１の実施形態では、表示画像蓄積部９１ａ、広告画像蓄積部９１ｂ、ＱＲデータ蓄積部９１ｃ、アドレスデータ蓄積部９１ｄは、それぞれ１つ示しているが、複数のデータを蓄積する場合は、これらを複数備えるとよい。そして、制御部１０の指示に従い表示部１０に表示するための画像データ、広告画像データ、ＱＲコード画像データ、アドレスデータを提供する。
【００２１】
また、ＨＤＤ９０は、設定情報蓄積部９２を有し、表２と表３を有する。
表２は第１撮影部６０と第２撮影部７０によって撮影した画像を解析することにより表示部から人物までの距離を求めるための設定値を記憶する。即ち、表２は、第１撮影部６０と第２撮影部７０のカメラ間距離（変数名Ｄ）と、カメラの焦点距離（変数名ｆ）を記憶し、それぞれ値を入力するための欄を備える。
表３は、広告画像とＱＲコード画像の表示の大きさを決定するために必要なデータを記憶する表である。表３は、ＩＤ番号、広告画像ファイル名、ＱＲコード画像ファイル名、ＱＲコード表示中心座標（Ｘ座標、Ｙ座標）、ＱＲコードの最適表示距離（Ｋ）、ＱＲコードの大きさ係数（Ｓ）を記憶し、それぞれ値を入力するための欄を備える。
【００２２】
ＱＲコードの最適表示距離（Ｋ）は、ＱＲコード画像の大きさに依存する値であり、ＱＲコード画像が小さい場合は、ＱＲコードの最適表示距離（Ｋ）が小さい値に設定され、ＱＲコード画像が大きい場合は、ＱＲコードの最適表示距離（Ｋ）が大きい値に設定される。この表３に示した例では、ＩＤ番号「１」は、ＱＲコード画像が比較的大きいので、ＱＲコードの最適表示距離（Ｋ）は、５が設定され、ＩＤ番号「２」は、ＱＲコード画像が比較的小さいので、ＱＲコードの最適表示距離（Ｋ）は、２が設定されている。
【００２３】
ＱＲコードの大きさ係数（Ｓ）は、表示部から人物までの距離に応じて、ＱＲコード画像の大きさを決定するための係数であり、表示部の設置状況に応じてＱＲコード画像の大きさを微調整するための係数である。即ち、ＱＲコードの大きさ係数（Ｓ）が１に設定されている場合、表示部から人物までの距離が倍になると、ＱＲコード画像の大きさは２倍になる。表示部から人物までの距離が離れてもあまりＱＲコード画像を大きくしたくない場合は、ＱＲコードの大きさ係数（Ｓ）を小さい値に設定し、逆に表示部から人物までの距離が離れるとＱＲコード画像を大きくしたい場合は、ＱＲコードの大きさ係数（Ｓ）を大きい値に設定する。この表３に示した例では、ＩＤ番号「１」は、ＱＲコード画像をあまり大きくしたくないので、ＱＲコードの大きさ係数（Ｓ）は、１．２が設定され、ＩＤ番号「２」は、ＱＲコード画像を大きくしたいので、ＱＲコードの大きさ係数（Ｓ）は、３．２が設定されている。
ＱＲコードの大きさ係数（Ｓ）は任意に設定することが可能であり、表示部から人物までの距離に対して、比例関係、またはＳ＝（Ｙ／Ｋ）2のように２次関数のように設定してもよい。
【００２４】
表３のＩＤ番号「１」の広告画像ファイル名欄には表示画像蓄積部９１ａに蓄積された画像データ（display jpg）が入力され、ＱＲコード画像ファイル名欄には、アドレスデータ蓄積部９１ｄに蓄積されたアドレスデータ（address bmp）を入力する。また表３のＩＤ番号「２」の広告画像ファイル名欄には表示画像蓄積部９１ｂに蓄積された画像データ（koukoku.jpg）が入力され、ＱＲコード画像ファイル名欄には、アドレスデータ蓄積部９１ｃに蓄積されたアドレスデータ（QRData.gif）を入力する。これにより、画像データとＱＲコード画像データの組合わせをセットする。
この実施形態では、画像データは表示画面全体に表示するので、座標の設定は不要であるが、画像データの表示位置を設定する場合は表示画面上のＸ座標、Ｙ座標を設定するとよい。また複数の画像データを表示画面に表示する場合は、各画像データの表示中心位置をＸ座標、Ｙ座標によって設定するとよい。
ＱＲコード画像データは、ＱＲコード画像の表示位置を設定するための座標を、ＱＲコード画像の表示中心のＸ座標とＹ座標によって設定し、またＱＲコード画像を拡大または縮小するときの設定として、ＱＲコードの最適表示距離（Ｋ）とＱＲコードの大きさ係数（Ｓ）を設定する。
【００２５】
図２は、液晶モニター２１と、第１撮影部６０及び第２撮影部７０の配置を説明する図であり、図２に示すように、液晶モニター２１の両側側面の中央位置に第１撮影部６０と第２撮影部７０をそれぞれ配置する。
このように配置した第１撮影部６０と第２撮影部７０によって広告画像を見ている人物または会議、講演会、説明会等の参加者（以下、「人物Ｕ」と言う。）を撮影すると、人物Ｕが液晶モニター２１の中心より右側寄りに居るとすると、例えば、図２（ｂ）に示すように、液晶モニター２１の左側に設置された第１撮影部６０で撮影した画像は、カメラの画面に人物Ｕは左側の方にずれて撮影される。一方、液晶モニター２１の右側の第２撮影部７０で撮影した画像は、人物Ｕはカメラの画面に右側の方にずれて撮影される。即ち、第１撮影部６０と第２撮影部７０で撮影した画像には、同一人物がずれＺを生じるように撮影される。本発明はこのずれＺに基づき、ステレオ法によって液晶モニター２１と人物間の距離を計算し、その距離に応じて、ＱＲコードの表示大きさを制御するものである。
なお、ＱＲコード画像の表示大きさは、表示部から撮影カメラまでの距離に応じて制御するが、カメラを画像認識することが困難である場合は、人物Ｕを認識して、近似的に表示部からとカメラまでの距離とすることが可能である。
【００２６】
図３は、第１撮影部６０と第２撮影部７０で撮影した画像に基づき、液晶モニター２１から人物までの距離を計算する方法を説明する図であり、ここではステレオ法の原理によって計算する一例を説明する。
図３において、Ａは、第１撮影部６０と第２撮影部７０を結ぶ線であり、Ｂは、人物Ｕが居る位置と、線Ａに平行な線である。線Ａ―Ｂ間の距離Ｔが液晶モニター２１から人物Ｕまでの距離である。
距離Ｔを求めるため、第１撮影部６０と第２撮影部７０の間隔をＤとし、第１撮影部６０と第２撮影部７０のカメラの焦点距離をｆとし、左側の第１撮影部６０のレンズ中心線Ｅとカメラの撮影面上の人物Ｕまでの間隔をＸＬとし、右側の第２撮影部７０のレンズ中心線Ｆとカメラの映像上の人物Ｕまでの間隔をＸＲとし、人物Ｕが位置する面Ｂ上において、人物Ｕとレンズ中心線Ｅまでの間隔をＸＬ’とし、人物Ｕが位置する面Ｂ上において、人物Ｕとレンズ中心線Ｆまでの間隔をＸＲ’とすると、下記式により線Ａ―Ｂ間の距離Ｔを求めることができる。
ＸＬ’：ＸＬ＝Ｔ：ｆ
ＸＲ’：ＸＲ＝Ｔ：ｆ
但し、ＸＬ’＋ＸＲ’＝Ｄ  とする。
従って、Ｙ＝Ｄｆ／（ＸＬ＋ＸＲ）  となる。
上記、ＸＬ、ＸＲは、撮影面における人物Ｕの中心からの距離であるが、画像上の座標をｘｌ、ｘｒに置き換えた場合、画像の半分の座標をＨとすると、
ＸＬ＝ｘｌ−Ｈ
ＸＲ＝Ｈ−ｘｒ
となる。よって、線Ａ―Ｂ間の距離Ｔは、Ｔ＝Ｄｆ／（ｘｌ−ｘｒ）となる。
即ち、ｘｌ−ｘｒは左右の画像のずれＺとなるので、線Ａ―Ｂ間の距離Ｔは、次の式のようになる。
Ｔ＝Ｄｆ／Ｚ
【００２７】
上記のようにして測定した液晶モニター２１と人物Ｕまでの距離に応じて、液晶モニター２１に広告画像とＱＲコード画像を図４のように表示する。即ち、図４（ａ）は、ＨＤＤ９０の画像データ蓄積部９１に蓄積された画像データファイル（display.jpg）及び（address.bmp）と、ＲＡＭ５０上に展開した例を示す。図４（ｂ）は、液晶モニター２１と人物Ｕの距離Ｔが近い場合に、広告画像ｇとＱＲコード画像ｊ１をＲＡＭ５０上に合成して展開し、これを表示部２０に転送して表示する例を示す。この場合、ＱＲコードｊ１は、液晶モニター２１と人物Ｕの距離Ｔが近いので、比較的小さく表示されている。図４（ｃ）は、液晶モニター２１と人物Ｕの距離Ｔが遠い場合を示し、表示部２０は広告画像ｇとＱＲコードｊ２を表示する。この場合、ＱＲコードｊ２は、液晶モニター２１と人物Ｕの距離Ｔが遠いので、比較的大きく表示されていることを示す。
この実施形態では、広告画像は表示画面全体に表示され、ＱＲコード画像は所定位置に表示される場合を示したが、広告画像は複数でもよく、また広告画像と会議、講演会、説明会等で使用する資料画像を表示画面を分割して同時に表示してもよい。またＱＲコード画像は広告画像が複数である場合、その複数に合わせて複数表示してもよい。
【００２８】
本発明の情報表示装置は、液晶モニター２１と人物Ｕまでの距離に応じて、液晶モニター２１に表示するＱＲコードの大きさを自動的に制御するため、図５及び図６に示すフローチャートのように処理が行われる。
図５のフローチャートは、広告データとＱＲコード画像データをメモリ上に展開し、画像合成して表示部２０に表示データを転送する処理を示す。
図５に示すように、本発明の装置が動作を開始すると、ステップＳ１では、人物Ｕが写っていないとして、ＲＡＭ５０の表１のＱＲコードの拡大率Ｒ＝１．０を設定する。次に、ステップＳ２では画像データ蓄積部９１より広告データを取得し、これをＲＡＭ５０の広告画像データ記憶部５２に展開する。例えば、表３のＩＤ番号「１」を表示する場合は、広告画像蓄積部９１ａのdisplay.jpgファイルを取得して、ＲＡＭ５０の広告画像データ記憶部５２に展開する。また画像データ蓄積部９１よりＱＲコード画像データを取得し、これをＲＡＭ５０のＱＲコード画像データ記憶部５３に展開する（ステップＳ３）。例えば、表３のＩＤ番号「１」を表示する場合は、のＱＲデータ蓄積部９１ｄのaddress.bmpファイルを取得して、ＲＡＭ５０のＱＲ画像データ記憶部５３に展開する。このとき、ＱＲコード画像データ記憶部５３の中心位置を、表示画面上のＸ，Ｙ座標とする。
次に、ＱＲコード画像データを記憶する表１より、ＱＲコードの縦サイズｄＨ、及び横サイズｄＷを取得する（ステップＳ４）。そして、ステップＳ５では、ＱＲコード画像データ記憶部５３上のＱＲコード画像データを縦方向、横方向に表１の拡大率に従いＲ倍に拡大する。即ち、
ｄＷ＝Ｒ×ｄＷ
ｄＨ＝Ｒ×ｄＨ
を求める。
次に、ステップＳ６では、ＲＡＭ５０上に展開した広告データの座標（Ｘ−ｄＷ／２、Ｙ−ｄＨ／２）の位置にＱＲコード画像データを上書きする。即ち、ステップＳ３で展開したＱＲコード画像データ記憶部５３の中心位置を中心にして、拡大したＱＲコード画像データ記憶部５３をメモリ上に展開する。そして、ステップＳ７では、広告データとＱＲコードを合成した表示データを表示部２０に転送し、液晶モニター２１で表示する。
【００２９】
図６は、ＱＲコードの表示拡大率を求める処理を示す。
まず、ステップＳ１１では、画像解析部８０より人物が写っている画像データを取得する。ステップＳ１２では、画像解析部８０より取得した画像データに人物が写っているか否か判断する。人物が写っている場合はステップＳ１３に進む。ステップＳ１３では、人物が写っている画像データから人物Ｕの顔の目、鼻、口の認識状態を取得する。認識状態から目、鼻、口が認識できるか否か判断する（ステップＳ１４）。このように、目、鼻、口を認識する場合に、更に肌色が認識できる否かを判断してもよい。これにより、人物Ｕが液晶モニター２１を見ているか否か判断する。
次に、ステップＳ１５では、携帯電話が写っているか否か判断する。携帯電話が写っている場合は、ステップＳ１６で、画像解析部８０より写っている人物の手に持っている携帯電話の認識状態を取得する。ステップＳ１７では、携帯電話が認識できるか否か、及び携帯電話のカメラが液晶モニター２１に向けられているか否か判断する。つまり、携帯電話の形状を認識し、そして、携帯電話のカメラ用レンズを認識できるか否か判断する。ステップＳ１５〜Ｓ１７によって、携帯電話によってＱＲコードを撮影しようとしているかどうか判断する。ステップＳ１５〜Ｓ１７で、携帯電話を画像認識することが困難である場合は、ステップＳ１５〜Ｓ１７はスキップしてもよい。このフローでは図示していないが、人物Ｕまたは携帯電話が複数認識される場合は、表示画面のＱＲコード画像の正面の人物または携帯電話を選択する。更に表示画面のＱＲコード画像の正面の人物または携帯電話が複数である場合は、表示画面に近い人物または携帯電話を選択する。
【００３０】
ステップＳ１８では、左側のカメラ６０の画像データから人物Ｕが写っているＸ座標である座標ｘｌを画像解析部８０より取得する。ステップＳ１９では、右側のカメラ７０の画像データから人物Ｕが写っているＸ座標である座標ｘｒを画像解析部８０より取得する。そして、ステップＳ２０では、左側カメラの画像データに写っている人物のＸ座標ｘｌと、右側カメラの画像データに写っている人物のＸ座標ｘｒから、ずれＺを求める。即ち、Ｚ＝ｘｌ−ｘｒを計算する。次に、ステップＳ２１では、左右のカメラの距離Ｄと、カメラの焦点距離ｆ、ずれＺを用いて、表示部２０から人物Ｕまでの距離Ｔを算出する。即ち、Ｔ＝Ｄ×ｆ／Ｚを演算する。
次に、ステップＳ２２では、図５のフローチャートのステップＳ１で予め設定された倍率Ｒ（即ち、１．０）を、変数Ｒ’に代入する。ステップＳ２３では、ステップＳ２１で算出した表示部２０から人物Ｕまでの距離Ｔ、ＱＲコードの最適表示距離Ｋ、ＱＲコードの大きさ係数Ｓを用いて、ＱＲコードの拡大率Ｒを算出する。ＱＲコードの大きさ係数Ｓ即ち、Ｒ＝Ｓ×Ｔ／Ｋを演算する。ステップＳ２４では、拡大率の変数Ｒ’が拡大率Ｒに等しいか否か判断する。即ちＲ＝Ｒ’か否か判断する。ＮＯであれば、図５のステップＳ２に移行する。ＹＥＳであれば、ステップＳ１１に移行する。
上記ステップＳ１２、Ｓ１４、Ｓ１５、Ｓ１７において、ＮＯの場合は、即ち、人物Ｕが写っていない場合、目、鼻、口が認識できない場合、または携帯電話が認識できない場合は、ステップＳ２５に移行し、拡大率が１．０か否か判断する。ＹＥＳであれば、ステップＳ１１に移行する。ＮＯであれば、ステップＳ２６で、ＲＡＭ上のデータ、ＱＲコード画像の拡大率をＲ＝１．０に設定して、ステップＳ２に移行する。即ち、予め設定された倍率で表示する。
以上のような処理によって、本発明によれば、人物Ｕが所有するカメラによって撮影しやすい大きさで情報を表示するように制御することができる。
【００３１】
以上の説明は、表示画面に広告画像とＱＲコード画像を表示する場合を説明したが、広告画像を会議、講演会、説明会等で使用する資料画像に代え、ＱＲコード画像を例えば、一次元バーコード、二次元バーコード、数字データ、文字データ、画像データに代えてもよい。従って、本発明の情報表示装置は、例えば少なくとも一辺が１ｍ以上或いはそれ以上の大きさを有し、壁一面のように非常に大型の表示画面を有する液晶モニターを用いて、宣伝または会議、講演会、説明会等に使用することができる。
また、上記説明では、図１の広告画像データ記憶部５２と、ＱＲコード画像データ記憶部５３をＲＡＭ５０に分けて形成したが、広告画像とＱＲコード画像が一つの画面に形成されている場合は、広告画像からＱＲコード画像を認識して切り出し、切り出したＱＲコード画像だけを大きさ制御してもよい。
【００３２】
上記説明では、表示部２０と広告画像を見ている人物、またはテレビ会議、講演会、説明会等の参加者の距離を測定するため、第１撮影部６０、第２撮影部７０及び画像解析部８０を使用したが、これらに代えて、赤外線または赤色光を広告画像を見ている人物、またはテレビ会議、講演会、説明会等の参加者に向けて発射し、その反射光を測定することによって、表示部２０との距離を測定するものであってもよい。また、超音波を使用して、表示部２０との距離を測定するものであってもよい。更には、カメラのピントあわせ機能を使用して、ピントの合った位置までの距離を測定するものであってもよい。この場合に、赤外線または赤色光を発射する光源、または超音波を発生する超音波源は、表示部２０の近傍に複数個配置し、複数個の光源からの反射光を検出することにより、より正確な距離を測定することができる。
【００３３】
以上の説明では、表示部２０の前に複数の人物がいる場合に、表示部２０の正面に居る人物Ｕを選択して、正面に居る人物Ｕの前に表示しているＱＲコードの大きさを制御した。しかし、表示部２０の前に複数の人物Ｕがいる場合に、複数の人物Ｕの前にそれぞれＱＲコードを表示して、表示部２０に表示した各ＱＲコードから各人物の距離を測定して、そのＱＲコードの大きさを制御してもよい。
【図面の簡単な説明】
【００３４】
【図１】本発明の情報表示装置の構成を示すブロック図である。
【図２】本発明の情報表示装置に用いられる表示部から人物までの距離を測定する方法を説明する図である。
【図３】本発明の情報表示装置に用いられるステレオ法の原理を説明する図である。
【図４】本発明の情報表示装置によって表示される広告画像及び資料画像とＱＲコードの表示例を示す図である。
【図５】本発明の情報表示装置が広告データとＱＲコード画像データをメモリ上に展開し、画像合成して表示部２０に表示データを転送する処理を示すフローチャート図である。
【図６】本発明の情報表示装置がＱＲコードの表示拡大率を求める処理を示すフローチャート図である。
【符号の説明】
【００３５】
１  情報表示装置
１０  制御部
２０  表示部
３０  音声出力部
４０  ＲＯＭ
５０  ＲＡＭ
６０  第１撮影部
７０  第２撮影部
８０  画像解析部
９０  ＨＤＤ
【図３】
2010066389.tif 000003
【図４】
2010066389.tif 000004
【図５】
2010066389.tif 000005
【図６】
2010066389.tif 000006
【図１】
2010066389.tif 000007
【図２】
2010066389.tif 000008